(57)【要約】      （修正有）【課題】非接触型ＩＣカードを搭載した携帯端末又はポイントカードを利用することなく、顧客に対してインセンティブを付与する方法を提供する。【解決手段】インセンティブ付与システム１において、店舗Ｓａ、Ｓｂ、Ｓｃに対応付けられ、かつ所定の時間ごとに内容が変更されるキーコードを発行し、発行したキーコードを、店舗にあるディスプレイＤａ、Ｄｂ、Ｄｃに表示させ、携帯端末４の電話番号及びキーコードを受信した場合に、受信したキーコードに基づいて店舗を特定し、受信した電話番号に基づいて店舗に訪れた顧客を特定し、特定した店舗により提供されるインセンティブ（ポイント）を、特定した顧客に対して付与する。【選択図】図１
2019021044.tif 000002
【特許請求の範囲】
【請求項１】
所定の場所に対応付けられ、かつ所定の時間ごとに内容が変更される識別コードを発行する発行部と、
前記発行された前記識別コードを、前記場所にあるディスプレイに表示させる表示制御部と、
携帯端末を特定する情報及び前記識別コードを受信した場合に、当該受信した前記識別コードに基づいて、前記場所を特定し、前記受信した前記携帯端末を特定する情報に基づいて、前記場所に訪れた顧客を特定する特定部と、
前記特定された前記場所により提供されるインセンティブを、前記特定された前記顧客に対して付与する付与部と、
を備えるインセンティブ付与システム。
【請求項２】
前記場所は、店舗単位に区画される、請求項１記載のインセンティブ付与システム。
【請求項３】
前記発行部は、無線ＬＡＮの中継機器単位に、前記識別コードを発行する、請求項１又は２記載のインセンティブ付与システム。
【請求項４】
前記携帯端末を特定する情報は、前記携帯端末の電話番号である、請求項１から３のいずれか一項に記載のインセンティブ付与システム。
【請求項５】
前記インセンティブは、少なくとも、ポイント、クーポン及びカタログのいずれかである、請求項１から４のいずれか一項に記載のインセンティブ付与システム。
【請求項６】
所定の場所に対応付けられ、かつ所定の時間ごとに内容が変更される識別コードを発行する発行ステップと、
前記発行された前記識別コードを、前記場所にあるディスプレイに表示させる表示制御ステップと、
携帯端末を特定する情報及び前記識別コードを受信した場合に、当該受信した前記識別コードに基づいて、前記場所を特定し、前記受信した前記携帯端末を特定する情報に基づいて、前記場所に訪れた顧客を特定する特定ステップと、
前記特定された前記場所により提供されるインセンティブを、前記特定された前記顧客に対して付与する付与ステップと、
を含むインセンティブ付与方法。
【発明の詳細な説明】
【技術分野】
【０００１】
本発明は、インセンティブ付与システム及びインセンティブ付与方法に関する。
【背景技術】
【０００２】
ポイントやクーポン等のインセンティブを顧客に付与する際に、Ｆｅｌｉｃａ（登録商標）等の非接触型ＩＣカードを搭載した携帯端末を利用するシステムが開発されている。
【０００３】
下記特許文献１には、非接触型ＩＣカードチップを内蔵した携帯装置を利用してポイントやクーポン等のインセンティブを提供するシステムが開示されている。このシステムでは、携帯装置ＩＤとＩＣカードＩＤとの組み合わせを用いて携帯装置の認証を行い、認証が成功した場合に、携帯装置のユーザに対してポイントを加算している。
【先行技術文献】
【特許文献】
【０００４】
【特許文献１】特開２０１２−１８１６５２号公報
【発明の概要】
【発明が解決しようとする課題】
【０００５】
特許文献１に記載のシステムでユーザがポイントを受け取るためには、非接触型ＩＣカードを搭載した携帯装置を店舗に持参する必要がある。したがって、非接触型ＩＣカードを搭載した携帯装置を店舗に持参し忘れると、ポイントを受け取ることができない。また、ポイントカードを発行してポイントを管理するようなシステムであっても、ポイントカードを店舗に持参し忘れると、ポイントを受け取ることができない。
【０００６】
本発明は、前述した課題を解決するためになされたものであり、非接触型ＩＣカードを搭載した携帯端末又はポイントカードを利用することなく、顧客に対してインセンティブを付与することができるインセンティブ付与システム及びインセンティブ付与方法を提供することを目的の一つとする。
【課題を解決するための手段】
【０００７】
本発明の一態様であるインセンティブ付与システムは、所定の場所に対応付けられ、かつ所定の時間ごとに内容が変更される識別コードを発行する発行部と、前記発行された前記識別コードを、前記場所にあるディスプレイに表示させる表示制御部と、携帯端末を特定する情報及び前記識別コードを受信した場合に、当該受信した前記識別コードに基づいて、前記場所を特定し、前記受信した前記携帯端末を特定する情報に基づいて、前記場所に訪れた顧客を特定する特定部と、前記特定された前記場所により提供されるインセンティブを、前記特定された前記顧客に対して付与する付与部と、を備える。
【０００８】
前記場所は、店舗単位に区画されることとしてもよい。
【０００９】
前記発行部は、無線ＬＡＮの中継機器単位に、前記識別コードを発行することとしてもよい。
【００１０】
前記携帯端末を特定する情報は、前記携帯端末の電話番号であることとしてもよい。
【００１１】
前記インセンティブは、少なくとも、ポイント、クーポン及びカタログのいずれかであることとしてもよい。
【００１２】
本発明の一態様であるインセンティブ付与方法は、所定の場所に対応付けられ、かつ所定の時間ごとに内容が変更される識別コードを発行する発行ステップと、前記発行された前記識別コードを、前記場所にあるディスプレイに表示させる表示制御ステップと、携帯端末を特定する情報及び前記識別コードを受信した場合に、当該受信した前記識別コードに基づいて、前記場所を特定し、前記受信した前記携帯端末を特定する情報に基づいて、前記場所に訪れた顧客を特定する特定ステップと、前記特定された前記場所により提供されるインセンティブを、前記特定された前記顧客に対して付与する付与ステップと、を含む。
【発明の効果】
【００１３】
本発明によれば、非接触型ＩＣカードを搭載した携帯端末又はポイントカードを利用することなく、顧客に対してインセンティブを付与することが可能となる。
【図面の簡単な説明】
【００１４】
【図１】実施形態におけるインセンティブ付与システムの構成を例示する図である。
【図２】図１に示すサーバの構成を例示する図である。
【図３】図１に示す店舗ディスプレイに表示される画面の一例である。
【図４】図１に示す携帯端末に表示される画面の一例である。
【図５】図１に示す携帯端末に表示される画面の一例である。
【図６】図１に示す携帯端末に表示される画面の一例である。
【図７】図１に示す携帯端末に表示される画面の一例である。
【図８】図１に示すインセンティブ付与システムにおいて、店舗に来店した顧客にポイントを付与する際の手順を例示するシーケンスチャートである。
【発明を実施するための形態】
【００１５】
以下、本発明の実施形態について図面を参照しつつ詳細に説明する。なお、同一の要素には同一の符号を付し、重複する説明を省略する。
【００１６】
図１は、本発明の一実施形態に係るインセンティブ付与システムの概略構成図である。同図に示すように、本実施形態におけるインセンティブ付与システム１は、例えば、サーバ２と、会員データベース３と、各店舗Ｓａ、Ｓｂ、Ｓｃに配置される店舗ディスプレイＤａ、Ｄｂ、Ｄｃと、一つ以上の携帯端末４とを含む。店舗Ｓａ、Ｓｂ、Ｓｃ及び店舗ディスプレイＤａ、Ｄｂ、Ｄｃは、以下において特に区別して説明する必要がない場合には、店舗Ｓ及び店舗ディスプレイＤと記載する。
【００１７】
サーバ２は、会員データベース３、店舗ディスプレイＤ及び携帯端末４とネットワークＮを介して通信できるように構成される。
【００１８】
ネットワークＮは、例えば、インターネット、ＬＡＮ、専用線、電話回線、企業内ネットワーク、移動体通信網、ブルートゥース（登録商標）、ＷｉＦｉ（Wireless Fidelity）、その他の通信回線、それらの組み合わせ等のいずれであってもよく、有線であるか無線であるかを問わない。
【００１９】
ネットワークＮには、一つ以上のＷｉＦｉのアクセスポイント（無線ＬＡＮの中継機器）Ｎａが含まれる。アクセスポイントＮａは、自アクセスポイントの通信可能範囲（以下、「ＷｉＦｉエリア」ともいう。）Ｒに在圏する店舗ディスプレイＤ及び携帯端末４と、サーバ２との間の通信を中継する。
【００２０】
携帯端末４は、ポイント付与サービスの提供を受ける顧客が使用する携帯可能な端末装置である。本実施形態では、携帯端末４として、スマートフォンを用いて説明するが、これに限定されず、電話番号を割り当て可能なモバイル端末全般を携帯端末４として用いることができる。
【００２１】
会員データベース３は、顧客に関する会員情報を記憶する。会員情報は、データ項目として、例えば、電話番号項目、氏名項目、住所項目、メールアドレス項目等を含む。電話番号項目は、顧客を特定するための識別情報として、顧客が使用する携帯端末４に割り当てられた電話番号を格納する。
【００２２】
図２に示すように、サーバ２は、例えば、プロセッサ２０と、通信インタフェース２１と、記憶資源２２とを備える。
【００２３】
プロセッサ２０は、算術演算、論理演算、ビット演算等を処理する算術論理演算ユニット及び各種レジスタから構成され、記憶資源２２に格納されているコンピュータプログラム２２０を実行することで、後述する各種機能を実現する。各種レジスタは、例えば、プログラムカウンタ、データレジスタ、命令レジスタ、汎用レジスタ等である。
【００２４】
通信インタフェース２１は、ネットワークＮに接続し、ネットワークＮ上の他の端末と通信をするためのハードウェアモジュールである。通信インタフェース２１は、例えば、ＩＳＤＮモデム、ＡＤＳＬモデム、ケーブルモデム、光モデム、ソフトモデム等の変調復調装置である。
【００２５】
記憶資源２２は、例えば、物理デバイスの記憶領域が提供する論理デバイスである。物理デバイスは、例えば、ディスクドライブ又は半導体メモリ等のコンピュータ読み取り可能な記録媒体である。記憶資源２２は、複数の物理デバイスを１つの論理デバイスにマッピングして構築してもよいし、１つの物理デバイスを複数の論理デバイスにマッピングして構築してもよい。記憶資源２２には、コンピュータプログラム２２０が記憶される。
【００２６】
コンピュータプログラム２２０は、所定の処理を行うためのプログラムであり、サーバ２のメインプログラムの動作中に適宜呼び出されて実行される複数のソフトウェアモジュールを備える。このソフトウェアモジュールは、それぞれ特定の処理を実行するためにモジュール化されたサブプログラムであり、例えば、プロシージャ、サブルーチン、メソッド、関数及びデータ構造等を用いて作成される。
【００２７】
コンピュータプログラム２２０は、例示的に、処理モジュール２２１を有する。処理モジュール２２１を実行することで実現する機能については後述する。
【００２８】
記憶資源２２には、コンピュータプログラム２２０のほか、認証処理サーバ２の処理に用いられるオペレーティングシステムプログラム、ドライバプログラム、各種データ等が格納される。ドライバプログラムとして、例えば、通信インタフェース２１を制御するための通信インタフェースドライバプログラム等がある。
【００２９】
記憶資源２２に格納される各種データとして、例えば、キーコードデータベース２２２に登録されるキーコード情報がある。キーコード情報は、データ項目として、例えば、ＷｉＦｉエリアＩＤ項目、店舗ＩＤ項目、店舗ディスプレイＩＤ項目、キーコード項目及びキーコード表示日時項目等を含む。
【００３０】
ＷｉＦｉエリアＩＤ項目は、ＷｉＦｉエリアを特定するための識別情報を格納する。店舗ＩＤ項目は、店舗を特定するための識別情報を格納する。店舗ディスプレイＩＤ項目は、店舗ディスプレイを特定するための識別情報を格納する。キーコード項目及び表示日時項目は、キーコードが発行されるたびに追加されるデータ項目である。キーコード項目は、発行されたキーコードを格納し、キーコード表示日時項目は、発行されたキーコードが店舗ディスプレイに表示された日時を格納する。
【００３１】
なお、前述したキーコード情報を格納するデータベースの構成及びキーコード情報に含まれるデータ項目の組み合わせは例示に過ぎず、データベースの構成やデータ項目の組み合わせについては、運用するシステムに合わせて適宜変更することができる。
【００３２】
図２に示すサーバ２の処理モジュール２２１を実行することで実現する機能について、以下に説明する。本実施形態では、例示的に、インセンティブとして、顧客にポイントを付与する場合について説明する。
【００３３】
処理モジュール２２１は、一つのアクセスポイントＮａが形成するＷｉＦｉエリアＲ内の店舗Ｓ単位に、キーコード（識別コード）を発行する。処理モジュール２２１は、キーコードの内容を所定の時間ごとに変更して発行する。所定の時間は、例えば顧客の自宅等のように、店舗以外の場所からキーコードが入力され、誤ってポイントを付与することが起こらない範囲で適宜設定することが好ましい。
【００３４】
なお、キーコードは、店舗単位に発行する必要はなく、所定の場所単位に発行することができればよい。例えば、店舗内に設けられた売り場やレジ等の単位に発行することとしてもよいし、アクセスポイント単位に発行することとしてもよい。
【００３５】
処理モジュール２２１は、発行したキーコードを、店舗Ｓにある店舗ディスプレイＤに表示させる。例えば、図１のＡ店舗Ｓａにある店舗ディスプレイＤａに、図３に例示するようなキーコード提示画面を表示させ、来店した顧客にキーコードを提示することとしてもよい。同図は、Ａ店舗Ｓａでは、現在、来店ポイントを付与するためのキーワードとして、“３２５”が提示されていることを示す。
【００３６】
処理モジュール２２１は、発行したキーコードに関するキーコード情報を、キーコードデータベース２２２に登録する。キーコード情報には、前述したように、例えば、ＷｉＦｉエリアＩＤ、店舗ＩＤ、店舗ディスプレイＩＤ、キーコード及びキーコード表示日時等が含まれる。
【００３７】
処理モジュール２２１は、キーコード及び携帯端末４の電話番号を、その携帯端末４が在圏するアクセスポイントＮａを介して受信する。
【００３８】
ここで、図４及び図５を参照し、携帯端末４を所持する顧客が、店舗Ｓに来店し、キーコード及び電話番号を携帯端末４に入力してサーバ２に送信する際の手順の一例について説明する。
【００３９】
最初に、顧客がＡ店舗Ｓａに来店し、携帯端末４を操作してアクセスポイントＮａによるＷｉＦｉスポットに接続する。続いて、顧客がブラウザを起動すると、携帯端末４のディスプレイに、図４に例示するポイント付与申請画面が表示される。
【００４０】
続いて、顧客が、Ａ店舗Ｓａにある店舗ディスプレイＤａを確認し、その時点で店舗ディスプレイＤａに表示されている“３２５”を、キーコード入力欄４１に入力する（図５参照）。続いて、顧客が、携帯端末４の電話番号を、電話番号入力欄４２に入力し、“ｓｕｂｍｉｔ”ボタン４３をタップする（図５参照）。これにより、携帯端末４が、キーコード及び電話番号をサーバ２に送信する。
【００４１】
図２に示す処理モジュール２２１は、携帯端末４から受信したキーコードに基づいて、キーコードデータベース２２２のキーコード情報を参照し、顧客が来店した店舗を特定する。このとき、処理モジュール２２１は、キーコードの送信を中継したアクセスポイントＮａの設定情報に基づいて、ＷｉＦｉエリアを特定し、その特定したＷｉＦｉエリアの店舗に発行したキーコードと、携帯端末４から受信したキーコードとを比較して、店舗を特定する。
【００４２】
処理モジュール２２１は、店舗を特定する際に、携帯端末４からキーコードを受信した日時と、キーコード情報のキーコード表示日時とを比較して、キーコードが店舗内で入力されたと判定できる場合に、店舗を特定することとしてもよい。これにより、店舗以外の場所からキーコードが入力され、誤ってポイントを付与してしまう事態を減らすことが可能となる。
【００４３】
処理モジュール２２１は、店舗が特定できない場合に、エラーメッセージを携帯端末４に送信する。
【００４４】
処理モジュール２２１は、携帯端末４から受信した電話番号に基づいて、会員データベース３の会員情報を参照し、店舗に来店した顧客を特定する。
【００４５】
処理モジュール２２１は、特定した店舗により提供されるポイントを、特定した顧客に対して付与するポイント付与処理を実行する。
【００４６】
ここで、図６及び図７を参照し、店舗に来店した顧客にポイントを付与する際の手順の一例について説明する。
【００４７】
最初に、サーバ２において、来店した顧客が特定され、その顧客がＡ店舗Ｓａに来店したことが特定されると、携帯端末４のディスプレイに、図６に例示するポイント付与ガイド画面が表示される。
【００４８】
続いて、顧客が、携帯端末４のディスプレイに表示されたＵＲＬ（Uniform Resource Locator）４４を選択して接続を指示すると、ポイント付与要求メッセージがサーバ２に送信され、携帯端末４のディスプレイに、図７に例示するポイント獲得通知画面が表示される。同図のポイント獲得通知画面により、Ａ店舗Ｓａへの来店ポイントとして３０ポイント獲得したことが、顧客に通知される。
【００４９】
次に、図８を参照して、店舗Ｓに来店した顧客にポイントを付与する際の一連の手順について説明する。
【００５０】
最初に、サーバ２の処理モジュール２２１は、定期的に、各店舗Ｓのキーコードを発行し、発行したキーコードを、対応する店舗Ｓの店舗ディスプレイＤに表示させる（ステップＳ１０１）。このステップＳ１０１の処理は、この後も継続して実行される。
【００５１】
続いて、店舗Ｓに来店した顧客の操作指示に従って、携帯端末４は、店舗Ｓに設けられたＷｉＦｉスポットに接続する（ステップＳ１０２）。
【００５２】
続いて、携帯端末４は、顧客の操作指示に従ってブラウザを起動し、図４に示すポイント付与申請画面を表示する（ステップＳ１０３）。顧客は、店舗ディスプレイＤに表示されているキーコード及び電話番号をポイント付与申請画面に入力することになる。
【００５３】
続いて、携帯端末４は、ポイント付与申請画面の“ｓｕｂｍｉｔ”ボタン４３に対するタップを検知する（ステップＳ１０４）と、ポイント付与申請画面に入力されたキーコード及び電話番号をサーバ２に送信する（ステップＳ１０５）。
【００５４】
続いて、サーバ２の処理モジュール２２１は、携帯端末４から受信したキーコードに基づいて、キーコードデータベース２２２のキーコード情報を参照し、顧客が来店した店舗Ｓを特定する（ステップＳ１０６）。
【００５５】
続いて、サーバ２の処理モジュール２２１は、携帯端末４から受信した電話番号に基づいて、会員データベース３の会員情報を参照し、店舗Ｓに来店した顧客を特定する（ステップＳ１０７）。
【００５６】
続いて、サーバ２の処理モジュール２２１は、来店した店舗Ｓ及び顧客を特定した場合に、その特定した顧客に対し、その特定した店舗Ｓへの来店ポイントを付与するためのＵＲＬ情報を携帯端末４に送信する（ステップＳ１０８）。
【００５７】
続いて、携帯端末４は、図６に示すポイント付与ガイド画面を表示する（ステップＳ１０９）。
【００５８】
続いて、携帯端末４は、ＵＲＬへの接続指示を検知する（ステップＳ１１０）と、ポイント付与要求メッセージをサーバ２に送信する（ステップＳ１１１）。
【００５９】
続いて、サーバ２の処理モジュール２２１は、携帯端末４の顧客に対し、店舗Ｓへの来店ポイントを付与するポイント付与処理を実行する（ステップＳ１１２）。
【００６０】
続いて、サーバ２の処理モジュール２２１は、来店ポイントの付与に関する通知情報を携帯端末４に送信する（ステップＳ１１３）。
【００６１】
続いて、携帯端末４は、図７に示すポイント獲得通知画面を表示する（ステップＳ１１４）。
【００６２】
前述したように、実施形態におけるインセンティブ付与システム１によれば、所定の店舗Ｓに対応付けられ、かつ所定の時間ごとに内容が変更されるキーコードを発行し、その発行したキーコードを、店舗Ｓにある店舗ディスプレイＤに表示させ、携帯端末の電話番号及びキーコードを受信した場合に、その受信したキーコードに基づいて店舗Ｓを特定し、受信した電話番号に基づいて店舗Ｓに来店した顧客を特定したうえで、店舗により提供されるポイントを顧客に対して付与することができる。
【００６３】
したがって、実施形態におけるインセンティブ付与システム１によれば、店舗に来店した顧客は、その店舗に表示されているキーコードと自分の携帯端末の電話番号とを携帯端末から入力して送信することで、来店した店舗のポイントを受け取ることができる。それゆえ、非接触型ＩＣカードを搭載した携帯端末又はポイントカードを利用することなく、顧客に対してポイントを付与することが可能となる。
【００６４】
[変形例]
なお、本発明は、前述した実施形態に限定されるものではなく、本発明の要旨を逸脱しない範囲内において他の様々な形で実施することができる。このため、上記実施形態はあらゆる点で単なる例示にすぎず、限定的に解釈されるものではない。例えば、前述した各処理（ステップ）は処理内容に矛盾を生じない範囲で任意に順番を変更し、又は並列に実行することができる。
【００６５】
また、前述した実施形態では、来店ポイントを付与する場合について説明しているが、来店ポイントに限らず、他のポイントを付与する場合にも適用することができる。例えば、店舗での購入額に応じたポイントを付与することとしてもよい。この場合、会計の際に、キーコードと電話番号に加え、支払金額を携帯端末４から入力することとし、その支払金額に対応するポイントを顧客に付与することとすればよい。
【００６６】
また、前述した実施形態では、顧客に付与するインセンティブとして、ポイントを用いて説明しているが、インセンティブはこれに限定されない。例えばクーポン又はカタログをインセンティブとして顧客に付与する場合についても同様に適用することができる。
【００６７】
インセンティブとしてカタログを付与する場合には、例えば、電子カタログや電子カタログのＵＲＬを顧客の携帯端末４に送信することとしてもよいし、顧客の住所宛てにカタログを郵送することとしてもよい。顧客の住所は、会員データベース３の会員情報から取得することができる。
【符号の説明】
【００６８】
１…インセンティブ付与システム、２…サーバ、３…会員データベース、４…携帯端末、２０…プロセッサ、２１…通信インタフェース、２２…記憶資源、２２０…コンピュータプログラム、２２１…処理モジュール、２２２…キーコードデータベース、Ｎ…ネットワーク、Ｎａ…アクセスポイント、Ｒ…ＷｉＦｉエリア
【図１】
2019021044.tif 000003
【図２】
2019021044.tif 000004
【図３】
2019021044.tif 000005
【図４】
2019021044.tif 000006
【図５】
2019021044.tif 000007
【図６】
2019021044.tif 000008
【図７】
2019021044.tif 000009
【図８】
2019021044.tif 000010
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
所定の場所に対応付けられ、かつ所定の時間ごとに内容が変更される複数の数字により構成されるキーコードを発行する発行部と、
前記発行された前記キーコードを、前記場所にあるディスプレイに表示させる表示制御部と、
前記発行部により発行された前記キーコード、及び当該キーコードが前記ディスプレイに表示された表示日時を、前記場所に対応する無線ＬＡＮの中継機器の通信可能範囲を特定するための無線通信エリアＩＤ、及び前記ディスプレイを特定するためのディスプレイＩＤに対応付けて記憶させる記憶部と、
携帯端末において一文字ずつ個別に入力された、前記携帯端末を特定する情報及び前記キーコードを受信した場合に、前記携帯端末を特定する情報及び前記キーコードの送信を中継した前記無線ＬＡＮの中継機器の設定情報に基づいて、前記無線通信エリアＩＤを特定し、当該無線通信エリアＩＤに対応付けて記憶されている前記キーコードのいずれかと、前記受信した前記キーコードとが一致し、かつ、当該一致した前記キーコードに対応付けて記憶されている前記表示日時が、前記キーコードを受信した日時に対応する場合に、前記一致した前記キーコードに対応付けて記憶されている前記ディスプレイＩＤに基づいて、前記場所を特定し、前記受信した前記携帯端末を特定する情報に基づいて、前記場所に訪れた顧客を特定する特定部と、
前記特定された前記場所により提供されるインセンティブを、前記特定された前記顧客に対して付与する付与部と、
を備えるインセンティブ付与システム。
【請求項２】
前記携帯端末を特定する情報は、前記携帯端末の電話番号である、請求項１記載のインセンティブ付与システム。
【請求項３】
前記インセンティブは、少なくとも、ポイント、クーポン及びカタログのいずれかである、請求項１又は２記載のインセンティブ付与システム。
【請求項４】
プロセッサにより実行されるインセンティブ付与方法であって、
所定の場所に対応付けられ、かつ所定の時間ごとに内容が変更される複数の数字により構成されるキーコードを発行する発行ステップと、
前記発行された前記キーコードを、前記場所にあるディスプレイに表示させる表示制御ステップと、
前記発行ステップにおいて発行された前記キーコード、及び当該キーコードが前記ディスプレイに表示された表示日時を、前記場所に対応する無線ＬＡＮの中継機器の通信可能範囲を特定するための無線通信エリアＩＤ、及び前記ディスプレイを特定するためのディスプレイＩＤに対応付けて記憶させる記憶ステップと、
携帯端末において一文字ずつ個別に入力された、前記携帯端末を特定する情報及び前記キーコードを受信した場合に、前記携帯端末を特定する情報及び前記キーコードの送信を中継した前記無線ＬＡＮの中継機器の設定情報に基づいて、前記無線通信エリアＩＤを特定し、当該無線通信エリアＩＤに対応付けて記憶されている前記キーコードのいずれかと、前記受信した前記キーコードとが一致し、かつ、当該一致した前記キーコードに対応付けて記憶されている前記表示日時が、前記キーコードを受信した日時に対応する場合に、前記一致した前記キーコードに対応付けて記憶されている前記ディスプレイＩＤに基づいて、前記場所を特定し、前記受信した前記携帯端末を特定する情報に基づいて、前記場所に訪れた顧客を特定する特定ステップと、
前記特定された前記場所により提供されるインセンティブを、前記特定された前記顧客に対して付与する付与ステップと、
を含むインセンティブ付与方法。